(57)【要約】【課題】ユーザーの利便性を向上させた給紙装置を提供することである。【解決手段】給紙装置１６は、用紙セット部２２と、記憶部と、初期設定部１２１と、用紙検知部１２２と、第１判断部１２３と、フラグ制御部１２４と、給紙指令受付部１２５と、第２判断部１２６と、給紙制御部１２７と、を備える。第１判断部１２３は、用紙検知部１２２により用紙セット部２２への用紙のセットが検知されれば、用紙が手差しトレイ２４、または給紙カセット２３のいずれにセットされたか否かを判断する。フラグ制御部１２４は、第１判断部１２３により用紙が手差しトレイ２４にセットされたと判断されれば、手差し設定フラグを記憶部に記憶する。給紙制御部１２７は、第２判断部１２６により記憶部に手差し設定フラグが記憶されていると判断されれば、初期設定部１２１による設定に関わらず、手差しトレイ２４から用紙を給紙するように制御する。【選択図】図５
2018172206.tif 000002
【特許請求の範囲】
【請求項１】
用紙を給紙する給紙装置であって、
挿抜可能で所定の前記用紙が収容される給紙カセット、および前記用紙が手差しでセットされる手差しトレイを含む用紙セット部と、
情報を記憶する記憶部と、
前記用紙を給紙する前記給紙カセットを設定する初期設定部と、
前記初期設定部により前記用紙を給紙する前記給紙カセットが設定された後、前記用紙セット部に前記用紙がセットされたことを検知する用紙検知部と、
前記用紙検知部により前記用紙セット部への前記用紙のセットが検知されれば、前記用紙が前記手差しトレイ、または前記給紙カセットのいずれにセットされたか否かを判断する第１判断部と、
前記第１判断部により前記用紙が前記手差しトレイにセットされたと判断されれば、手差し設定フラグを前記記憶部に記憶するフラグ制御部と、
前記用紙の給紙指令を受け付ける給紙指令受付部と、
前記給紙指令受付部により前記給紙指令を受け付けた際に、前記記憶部に前記手差し設定フラグが記憶されているか否かを判断する第２判断部と、
前記第２判断部により前記記憶部に前記手差し設定フラグが記憶されていると判断されれば、前記初期設定部による設定に関わらず、前記手差しトレイから前記用紙を給紙するように制御する給紙制御部と、を備える、給紙装置。
【請求項２】
前記給紙カセットの前記用紙の残量を検知する用紙残量検知部をさらに備え、
前記用紙検知部は、前記用紙残量検知部により前記用紙の残量が増えたことを検知することにより、前記用紙セット部に前記用紙がセットされたことを検知し、
前記給紙制御部は、前記第１判断部により前記給紙カセットに前記用紙がセットされたと判断され、前記第２判断部により前記記憶部に前記手差し設定フラグが記憶されていないと判断されれば、前記第１判断部により判断された前記給紙カセットから前記用紙を給紙するように制御する、請求項１に記載の給紙装置。
【請求項３】
前記給紙カセットの挿抜を検知する給紙カセット検知部をさらに備え、
前記用紙検知部は、前記給紙カセット検知部により前記給紙カセットの挿抜を検知することにより、前記用紙セット部に前記用紙がセットされたことを検知し、
前記給紙制御部は、前記第１判断部により前記給紙カセットに前記用紙がセットされたと判断され、前記第２判断部により前記記憶部に前記手差し設定フラグが記憶されていないと判断されれば、前記第１判断部により判断された前記給紙カセットから前記用紙を給紙するように制御する、請求項１に記載の給紙装置。
【請求項４】
前記給紙カセットは、複数の給紙カセットを含み、
前記給紙制御部は、前記給紙指令受付部により前記給紙指令を受け付ける前に、前記用紙検知部により２以上の前記給紙カセットに前記用紙がセットされたことを検知し、前記第２判断部により前記記憶部に前記手差し設定フラグが記憶されていないと判断されれば、前記初期設定部により設定された前記給紙カセットから前記用紙を給紙するように制御する、請求項２または請求項３に記載の給紙装置。
【請求項５】
用紙を給紙する給紙装置と、前記給紙装置によって給紙された用紙に画像を形成する画像形成部とを含む、画像形成装置であって、
前記給紙装置は、
挿抜可能で所定の前記用紙が収容される給紙カセット、および前記用紙が手差しでセットされる手差しトレイを含む用紙セット部と、
情報を記憶する記憶部と、
前記用紙を給紙する前記給紙カセットを設定する初期設定部と、
前記初期設定部により前記用紙を給紙する前記給紙カセットが設定された後、前記用紙セット部に前記用紙がセットされたことを検知する用紙検知部と、
前記用紙検知部により前記用紙セット部への前記用紙のセットが検知されれば、前記用紙が前記手差しトレイ、または前記給紙カセットのいずれにセットされたか否かを判断する第１判断部と、
前記第１判断部により前記用紙が前記手差しトレイにセットされたと判断されれば、手差し設定フラグを前記記憶部に記憶するフラグ制御部と、
前記用紙の給紙指令を受け付ける給紙指令受付部と、
前記給紙指令受付部により前記給紙指令を受け付けた際に、前記記憶部に前記手差し設定フラグが記憶されているか否かを判断する第２判断部と、
前記第２判断部により前記記憶部に前記手差し設定フラグが記憶されていると判断されれば、前記初期設定部による設定に関わらず、前記手差しトレイから前記用紙を給紙するように制御する給紙制御部と、を備える、画像形成装置。
【発明の詳細な説明】
【技術分野】
【０００１】
この発明は、給紙装置、および画像形成装置に関するものである。
【背景技術】
【０００２】
画像形成装置において、ユーザーの所望するサイズの用紙が収容された給紙カセットを自動的に選択する機能を備えた画像形成装置が知られている。
【０００３】
ここで、給紙モードとして手差しモードを自動的に選択して、ユーザーの所望しないサイズの用紙への画像形成を阻止する技術が、特開２０１４−０８９４２５号公報（特許文献１）に開示されている。
【０００４】
特許文献１に開示の画像形成装置は、給紙カセットと、原稿サイズ検知部と、手差し給紙部と、制御部とを備える。給紙カセットは、カセット記録媒体を画像形成部に給紙する。原稿サイズ検知部は、画像形成部で形成する画像の原稿のサイズを検知する。手差し給紙部は、画像形成部に手差し記録媒体を給紙する。制御部は、原稿サイズ検知部の検知結果が、カセット記録媒体のサイズと異なる場合に、画像形成部への記録媒体の給紙元を手差し給紙部に設定する。
【先行技術文献】
【特許文献】
【０００５】
【特許文献１】特開２０１４−０８９４２５号公報
【発明の概要】
【発明が解決しようとする課題】
【０００６】
ユーザーは、ユーザーの所望する用紙を手差しトレイにセットして、所望する用紙に画像を形成させたい場合がある。このような場合、ユーザーは手動で給紙設定を手差しトレイに変更する。しかしながら、ユーザーが給紙設定の変更を忘れ、給紙設定が変更されないと、手差しトレイではなく給紙カセットから供給される用紙に画像が形成されるおそれがある。
【０００７】
また、特許文献１に開示の技術は、画像を形成する用紙のサイズを検知し、自動的に手差しトレイに切り替わる。しかしながら、画像が形成されるサイズの用紙が給紙カセットにあった場合には、給紙カセットから給紙される。ユーザーの所望する用紙に画像を形成されるには、ユーザーが手動で給紙設定を変更する必要がある。
【０００８】
この発明の目的は、ユーザーの利便性を向上させた給紙装置、および画像形成装置を提供することである。
【課題を解決するための手段】
【０００９】
この発明の一の局面において給紙装置は、用紙を給紙する。給紙装置は、用紙セット部と、記憶部と、初期設定部と、用紙検知部と、第１判断部と、フラグ制御部と、給紙指令受付部と、第２判断部と、給紙制御部と、を備える。用紙セット部は、挿抜可能で所定の用紙が収容される給紙カセット、および用紙が手差しでセットされる手差しトレイを含む。記憶部は、情報を記憶する。初期設定部は、用紙を給紙する給紙カセットを設定する。用紙検知部は、初期設定部により用紙を給紙する給紙カセットが設定された後、用紙セット部に用紙がセットされたことを検知する。第１判断部は、用紙検知部により用紙セット部への用紙のセットが検知されれば、用紙が手差しトレイ、または給紙カセットのいずれにセットされたか否かを判断する。フラグ制御部は、第１判断部により用紙が手差しトレイにセットされたと判断されれば、手差し設定フラグを記憶部に記憶する。給紙指令受付付部は、用紙の給紙指令を受け付ける。第２判断部は、給紙指令受付部により給紙指令を受け付けた際に、記憶部に手差し設定フラグが記憶されているか否かを判断する。給紙制御部は、第２判断部により記憶部に手差し設定フラグが記憶されていると判断されれば、初期設定部による設定に関わらず、手差しトレイから用紙を給紙するように制御する。
【００１０】
この発明の他の局面において画像形成装置は、用紙を給紙する給紙装置と、給紙装置によって給紙された用紙に画像を形成する画像形成部とを含む。給紙装置は、用紙を給紙する。給紙装置は、用紙セット部と、記憶部と、初期設定部と、用紙検知部と、第１判断部と、フラグ制御部と、給紙指令受付部と、第２判断部と、給紙制御部と、を備える。用紙セット部は、挿抜可能で所定の用紙が収容される給紙カセット、および用紙が手差しでセットされる手差しトレイを含む。記憶部は、情報を記憶する。初期設定部は、用紙を給紙する給紙カセットを設定する。用紙検知部は、初期設定部により用紙を給紙する給紙カセットが設定された後、用紙セット部に用紙がセットされたことを検知する。第１判断部は、用紙検知部により用紙セット部への用紙のセットが検知されれば、用紙が手差しトレイ、または給紙カセットのいずれにセットされたか否かを判断する。フラグ制御部は、第１判断部により用紙が手差しトレイにセットされたと判断されれば、手差し設定フラグを記憶部に記憶する。給紙指令受付付部は、用紙の給紙指令を受け付ける。第２判断部は、給紙指令受付部により給紙指令を受け付けた際に、記憶部に手差し設定フラグが記憶されているか否かを判断する。給紙制御部は、第２判断部により記憶部に手差し設定フラグが記憶されていると判断されれば、初期設定部による設定に関わらず、手差しトレイから用紙を給紙するように制御する。
【発明の効果】
【００１１】
このような給紙装置によれば、手差しトレイにユーザーの所望する用紙がセットされると手差し設定フラグが記憶される。そして、給紙指令を受け付けると、用紙を給紙する給紙カセットの初期設定に関わらず、自動的に手差しトレイからユーザーの所望する用紙が給紙される。また、手差しトレイにユーザーの所望する用紙がセットされ、続けて用紙不足の給紙カセットに用紙が補給された場合でも、手差し設定フラグが記憶されているために、手差しトレイからユーザーの所望する用紙を給紙することができる。従って、このような給紙装置によれば、ユーザーの所望する用紙を確実に給紙することができ、ユーザーの利便性を向上させることができる。
【００１２】
このような画像形成装置によれば、ユーザーの所望する用紙を確実に給紙することができ、ユーザーの利便性を向上させることができる。
【図面の簡単な説明】
【００１３】
【図１】この発明の一実施形態に係る表示装置を複合機に適用した場合の複合機の外観を示す概略図である。
【図２】図１に示す複合機の構成を示すブロック図である。
【図３】表示部の概略的な構成を示す外観図である。
【図４】制御部の構成を示すブロック図である。
【図５】手差しトレイから用紙が給紙される場合の処理の流れを示すフローチャートである。
【図６】ユーザーの所望する用紙が手差しトレイにセットされる状態を示す概略図である。
【図７】ユーザーの所望する用紙が給紙カセットにセットされる状態を示す概略図である。
【発明を実施するための形態】
【００１４】
以下、この発明の実施の形態を説明する。図１は、この発明の一実施形態に係る給紙装置１６を複合機１１に適用した場合の複合機１１の外観を示す概略図である。図２は、図１に示す複合機１１の構成を示すブロック図である。
【００１５】
図１および図２において、複合機１１は、制御部１２と、表示部１３と、読み取り部１４と、給紙装置１６と、記憶部としてのハードディスク１７と、画像形成部１５とを備える。
【００１６】
制御部１２は、複合機１１全体の制御を行う。制御部１２は、ＣＰＵ等から構成されており、一時的にデータを記憶する記憶部としての主記憶メモリ１８を含む。表示部１３は、情報を表示する表示画面２１を含む。読み取り部１４は、載置台１９上にセットされた原稿を読み取ることによって原稿の画像を取得する。画像形成部１５は、読み取り部１４により取得された原稿の画像を基に、給紙装置１６から搬送されてきた用紙に画像を形成して出力する。
【００１７】
給紙装置１６は、用紙セット部２２と、用紙搬送部２５と、を備える。用紙セット部２２は、給紙カセット２３と、手差しトレイ２４と、を含む。給紙カセット２３は、複数の給紙カセット２３ａ、２３ｂ、２３ｃを含む。それぞれの給紙カセット２３ａ〜２３ｃには、サイズの異なる複数枚の用紙が収容される。給紙カセット２３ａ、２３ｂ、２３ｃは、図１のＺ方向に配置される。例えば、給紙カセット２３ａにはＡ４の用紙が収容され、給紙カセット２３ｂにはＢ５の用紙が収容され、給紙カセット２３ｃにはＡ３の用紙が収容される。給紙カセット２３ａ〜２３ｃは、矢印Ｘ方向および矢印Ｘ方向とは反対の方向に挿抜可能である。手差しトレイ２４は、複合機１１の一方の側面に配置される。手差しトレイ２４は、矢印Ｙ方向および矢印Ｙ方向とは反対の方向に開閉可能である。手差しトレイ２４には、開いた状態で用紙が手差しでセットされる。用紙搬送部２５は、用紙セット部２２に収容された用紙を画像形成部１５に搬送する。
【００１８】
次に、上記した表示部１３の具体的な構成について説明する。図３は、表示部１３の概略的な構成を示す外観図である。図３を参照して、表示部１３は、印刷部数等を入力させるための０〜９までの数字、および「＊」や「＃」の記号を入力させるテンキー４１と、印刷の開始やファクシミリ送信の開始を指示させるスタートキー４２と、複合機１１の電源のオンまたはオフを入力させる電源キー４３と、複合機１１の有するプリンター機能やコピー機能等の選択を指示させるメニューキー４４と、種々の画像形成の条件や使用ユーザーの登録を指示させる登録キー４５と、テンキー４１等を用いてユーザーにより入力された指示の内容をキャンセルさせるリセットキー４６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。表示画面２１には、用紙を給紙する用紙セット部２２の設定を行う給紙設定２１ａの画面が表示される。給紙設定２１ａの画面には、自動選択の選択キー２１ｂ、Ａ４の用紙が収容される給紙カセット２３ａの選択キー２１ｃ、Ｂ５の用紙が収容される給紙カセット２３ｂの選択キー２１ｄ、Ａ３の用紙が収容される給紙カセット２３ｃの選択キー２１ｅが表示される。ここで、自動選択とは、読み取り部１４によって取得された原稿の画像のサイズに応じた用紙を収容する給紙カセット２３が自動的に選択されるものである。
【００１９】
次に、複合機１１に備えられる制御部１２の構成について説明する。図４は、制御部１２の構成を示すブロック図である。図４を参照して、制御部１２は、初期設定部１２１と、用紙検知部１２２と、第１判断部１２３と、フラグ制御部１２４、給紙指令受付部１２５、第２判断部１２６、給紙制御部１２７、用紙残量検知部１２８、給紙カセット検知部１２９とを備える。
【００２０】
初期設定部１２１は、用紙を給紙する給紙カセット２３を設定する。用紙検知部１２２は、初期設定部１２１により用紙を給紙する給紙カセット２３が設定された後、用紙セット部２２に用紙がセットされたことを検知する。第１判断部１２３は、用紙検知部１２２により用紙セット部２２への用紙のセットが検知されれば、用紙が手差しトレイ２４、または給紙カセット２３のいずれにセットされたか否かを判断する。フラグ制御部１２４は、第１判断部１２３により用紙が手差しトレイ２４にセットされたと判断されれば、手差し設定フラグを主記憶メモリ１８に記憶する。給紙指令受付部１２５は、ユーザーによる用紙の給紙指令を受け付ける。第２判断部１２６は、給紙指令受付部１２５により給紙指令を受け付けた際に、主記憶メモリ１８に手差し設定フラグが記憶されているか否かを判断する。給紙制御部１２７は、第２判断部１２６により主記憶メモリ１８に手差し設定フラグが記憶されていると判断されれば、初期設定部１２１による設定に関わらず、手差しトレイ２４から用紙を給紙するように制御する。用紙残量検知部１２８は、給紙カセット２３の用紙の残量を検知する。給紙カセット検知部１２９は、給紙カセット２３の挿抜を検知する。これらの構成については、後に詳述する。
【００２１】
次に、手差しトレイ２４に用紙がセットされ、手差しトレイ２４から用紙が給紙される場合について説明する。図５は、手差しトレイ２４から用紙が給紙される場合の処理の流れを示すフローチャートである。
【００２２】
図５を参照して、まず、初期設定部１２１により用紙を給紙する給紙カセット２３が設定される（図５において、ステップＳ１１、以下、「ステップ」を省略する）。図３を参照して、表示画面２１に含まれる給紙設定２１ａの画面にて、用紙を給紙する給紙カセット２３の設定が行われる。給紙設定２１ａの画面に表示される選択キー２１ｂ〜２１ｅから用紙を給紙する給紙カセット２３がユーザーによって選択され、設定される。
【００２３】
次に、ユーザーは複合機１１に給紙したい所望の用紙を手差しトレイ２４にセットする。用紙が手差しトレイ２４にセットされることにより、用紙検知部１２２は用紙が用紙セット部２２にセットされたことを検知する（Ｓ１２）。
【００２４】
次に、用紙が用紙セット部２２にセットされたことを検知すると、第１判断部１２３は用紙が手差しトレイ２４にセットされたか否かを判断する（Ｓ１３）。第１判断部１２３により、用紙が手差しトレイ２４にセットされたと判断されれば（Ｓ１３においてＹＥＳ）、フラグ制御部１２４は手差し設定フラグを主記憶メモリ１８に記憶する（Ｓ１４）。このようにすることで、手差しトレイ２４に用紙がセットされたことを分かるようにすることができる。
【００２５】
給紙指令受付部１２５は、ユーザーによる給紙指令を受け付ける（Ｓ１５）。ここで、ユーザーによる給紙指令とは、用紙が手差しトレイ２４にセットされた後に、表示部１３のスタートキー４２がユーザーによって押された場合である。ユーザーによる給紙指令を受け付ければ（Ｓ１５においてＹＥＳ）、第２判断部１２６は、主記憶メモリ１８に手差し設定フラグが記憶されているか否かが判断される（Ｓ１６）。主記憶メモリ１８に手差し設定フラグが記憶されていると判断されれば（Ｓ１６においてＹＥＳ）、給紙制御部１２７は初期設定部１２１による設定に関わらず、手差しトレイ２４から用紙を給紙するように制御する（Ｓ１７）。
【００２６】
図６は、ユーザーの所望する用紙Ｓが手差しトレイ２４にセットされる状態を示す概略図である。ユーザーによって、用紙を給紙する給紙カセット２３の初期設定が自動選択に設定されていたとする。図６を参照して、ユーザーが所望するＡ４の用紙Ｓを手差しトレイ２４にセットする。そして、手差しトレイ２４に用紙Ｓがセットされたと判断され、手差し設定フラグが主記憶メモリ１８に記憶される。ユーザーによる給紙指令を受け付けると、手差し設定フラグが記憶されているために、初期設定の設定に関わらずに自動的に手差しトレイ２４から用紙Ｓが給紙される。
【００２７】
このような複合機１１によれば、手差しトレイ２４にユーザーの所望する用紙Ｓがセットされると手差し設定フラグが記憶される。そして、給紙指令を受け付けると、用紙Ｓを給紙する給紙カセット２３の初期設定に関わらず、自動的に手差しトレイ２４からユーザーの所望する用紙Ｓが給紙される。また、手差しトレイ２４にユーザーの所望する用紙Ｓがセットされ、続けて用紙不足の給紙カセット２３に用紙Ｓが補給され、給紙指令を受け付けても、手差し設定フラグが記憶されているために、手差しトレイ２４からユーザーの所望する用紙Ｓを給紙することができる。従って、このような複合機１１によれば、ユーザーの所望する用紙Ｓを確実に給紙することができ、ユーザーの利便性を向上させることができる。
【００２８】
なお、Ｓ１２において、用紙検知部１２２は、給紙カセット２３の用紙Ｓの残量が増えたことを検知することにより、用紙セット部２２に用紙Ｓがセットされたことを検知するようにしてもよい。この場合、Ｓ１３において、第１判断部１２３は給紙カセット２３に用紙Ｓがセットされたと判断する（Ｓ１３においてＮＯ）。そして、手差し設定フラグが記憶されずに、給紙指令を受け付ける（Ｓ１５）。また、Ｓ１６において、第２判断部１２６は主記憶メモリ１８に手差し設定フラグが記憶されていないと判断すれば（Ｓ１６においてＮＯ）、給紙制御部１２７は第１判断部１２３により判断された給紙カセット２３から用紙Ｓを給紙するように制御する（Ｓ１８）。
【００２９】
また、Ｓ１２において、用紙検知部１２２は、給紙カセット２３の挿抜を検知することにより、用紙セット部２２に用紙Ｓがセットされたことを検知するようにしてもよい。この場合、Ｓ１３において、第１判断部１２３は給紙カセット２３に用紙Ｓがセットされたと判断する（Ｓ１３においてＮＯ）。そして、手差し設定フラグが記憶されずに、給紙指令を受け付ける（Ｓ１５）。また、Ｓ１６において、第２判断部１２６は主記憶メモリ１８に手差し設定フラグが記憶されていないと判断すれば（Ｓ１６においてＮＯ）、給紙制御部１２７は第１判断部１２３により判断された給紙カセット２３から用紙Ｓを給紙するように制御する（Ｓ１８）。
【００３０】
なお、給紙カセット２３が複数の給紙カセット２３を含む場合、給紙制御部１２７は、以下のように制御してもよい。給紙指令受付部１２５により給紙指令を受け付ける前に、用紙検知部１２２により２以上の給紙カセット２３に用紙Ｓをセットすることが検知され、第２判断部１２６により主記憶メモリ１８に手差し設定フラグが記憶されていないと判断されれば、給紙制御部１２７は、初期設定部１２１により設定された給紙カセット２３から用紙Ｓを給紙するように制御してもよい。
【００３１】
以下、具体的に説明する。図７は、ユーザーの所望する用紙Ｓが給紙カセット２３ａにセットされる状態を示す概略図である。ユーザーによって、用紙Ｓを給紙する給紙カセット２３の初期設定が自動選択に設定されていたとする。図７を参照して、ユーザーは所望するＡ４の用紙Ｓを給紙カセット２３ａにセットする。そして、給紙カセット２３ａに用紙Ｓがセットされたと判断され、手差し設定フラグが記憶されずに、給紙指令を受け付ける。そして、ユーザーによる給紙指令を受け付けると、主記憶メモリ１８に手差し設定フラグが記憶されていないことから、給紙カセット２３ａから用紙Ｓが給紙される。
【００３２】
また、図６、図７を参照して、ユーザーはＡ４の用紙Ｓを給紙カセット２３ａにセットする。この場合、給紙カセット２３ａに用紙Ｓがセットされたと判断され、手差し設定フラグが記憶されずに、給紙指令を受け付ける。続けて、ユーザーが所望するＡ４の用紙Ｓを手差しトレイ２４にセットする。そして、手差しトレイ２４に用紙Ｓがセットされたと判断され、手差し設定フラグが主記憶メモリ１８に記憶される。そして、ユーザーによる給紙指令を受け付けると、主記憶メモリ１８に手差し設定フラグが記憶されていることから、初期設定の設定に関わらずに自動的に手差しトレイ２４から用紙Ｓが給紙される。
【００３３】
また、図７を参照して、ユーザーはＡ４の用紙Ｓを給紙カセット２３ａにセットする。そして、給紙カセット２３ａに用紙Ｓがセットされたと判断され、手差し設定フラグが記憶されずに、給紙指令を受け付ける。続けて、ユーザーはＡ３の用紙Ｓを給紙カセット２３ｃにセットする。そして、給紙カセット２３ｃに用紙Ｓがセットされたと判断され、手差し設定フラグが記憶されずに、給紙指令を受け付ける。この場合、２つの給紙カセット２３ａ、２３ｃに用紙Ｓがセットされたこととなる。そして、初期設定で設定された自動選択により用紙Ｓが給紙される。
【００３４】
なお、Ｓ１５において、ユーザーによる給紙指令がなかった場合（Ｓ１５においてＮＯ）には、再度用紙セット部２２により用紙Ｓがセットされたことを検知する（Ｓ１２）。
【００３５】
なお、複合機１１の制御部１２で制御することとしたが、これに限らず、給紙装置１６は、制御部を備え、これにより制御するようにしてもよい。
【００３６】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３７】
この発明に係る給紙装置、および画像形成装置は、ユーザーの利便性を向上させることが要求される場合に、特に有効に利用される。
【符号の説明】
【００３８】
１１  複合機、１２  制御部、１２１  初期設定部、１２２  用紙検知部、１２３  第１判断部、１２４  フラグ制御部、１２５  給紙指令受付部、１２６  第２判断部、１２７  給紙制御部、１２８  用紙残量検知部、１２９  給紙カセット検知部、１３  表示部、１４  読み取り部、１５  画像形成部、１６  給紙装置、１７  ハードディスク、１８  主記憶メモリ、１９  載置台、２１  表示画面、２１ａ  給紙設定、２１ｂ  選択キー、２１ｃ  選択キー、２１ｄ  選択キー、２１ｅ  選択キー、２２  用紙セット部、２３  給紙カセット、２３ａ  給紙カセット、２３ｂ  給紙カセット、２３ｃ  給紙カセット、２４  手差しトレイ、２５  用紙搬送部、４１  テンキー、４２  スタートキー、４３  電源キー、４４  メニューキー、４５  登録キー、４６  リセットキー、Ｓ  用紙。
【図１】
2018172206.tif 000003
【図２】
2018172206.tif 000004
【図３】
2018172206.tif 000005
【図４】
2018172206.tif 000006
【図５】
2018172206.tif 000007
【図６】
2018172206.tif 000008
【図７】
2018172206.tif 000009